(57)【要約】【課題】メンテナンス時に遊技媒体をまき散らすことを防止する。【解決手段】供給皿が設けられた下枠７の回転軸２６の断面を八角形状から形成する。本体枠の軸受け用の開口２９の下部にはコの字形状の押さえバネ３０が設けられている。回転軸２６は押さえバネ３０により挟持されている。下枠７と本体枠とのロックが解除されると、押さえバネ３０の付勢により回転軸２６が時計周り方向に回転する。そして、回転軸２６と押さえバネ３０とが面接触すると下枠７の回動が停止される。この位置では、下枠７と本体枠とに形成される隙間はパチンコ球の直径よりも小さく、払出し通路に設けられたシャッタが作動しない場合でも、払出し通路から零れたパチンコ球が遊技場の床に零れることがない。【選択図】　　　　図４
2004033389.tif 000002
【特許請求の範囲】
【請求項１】
遊技に使用する付与価値を受容するための付与価値受容部を備えた前面枠と、前記付与価値を前記付与価値受容部に向けて払い出し可能な付与価値通路が設けられた本体枠とを有し、前記本体枠の前面に保持される第１位置と、前記付与価値通路を露呈する第２位置との間で回動自在となるように、前記前面枠が本体枠に取り付けられた遊技機において、
前記前面枠を第１位置から第２位置に回動させる際に、第１位置と第２位置との間の所定位置で停止させるための一時停止機構を設けたことを特徴とする遊技機。
【請求項２】
前記前面枠は、本体枠に形成された遊技盤の遊技領域のみを視認できるように形成された遊技領域視認枠と別個に本体枠に取り付けられることを特徴とする請求項１記載の遊技機。
【請求項３】
前記所定位置とは、前記前面枠と本体枠とで形成される隙間が前記付与価値の大きさよりも小さい隙間となる位置であることを特徴とする請求項１又は２記載の遊技機。
【請求項４】
前記一時停止機構を、側壁面に平面が形成された回転軸と、この回転軸の周面に押圧して回転軸を所定方向に回転させるとともに、前記平面と面接触したことにより前記回転軸の回転を前記所定位置で停止させる軸押さえ部材が形成された軸受け部とから構成し、前記回転軸を前記前面枠又は本体枠のいずれか一方に、前記軸受け部を他方に設けたことを特徴とする請求項１〜３いずれか記載の遊技機。
【発明の詳細な説明】
【０００１】
【発明の属する技術分野】
本発明は、例えばパチンコ店等の遊技場に設置されるパチンコ機等の遊技機に関するものである。
【０００２】
【従来の技術】
遊技場に設置されるパチンコ機は、本体枠内に遊技盤が配設されており、その遊技盤の前面には開閉自在な前面枠が設けられている。このようなパチンコ機では遊技場に設置されている状態で、且つ前面枠が閉じられているときには、何人もパチンコ機の内部の遊技盤や電子機器等には触れることができないようになっている。
【０００３】
このようなパチンコ機の中には、前面枠が２分割されたものがある。この場合、前面枠は中央に形成された開口をガラス枠により遮蔽された上枠と、前面にパチンコ球を打ち出すために操作される操作ハンドルと遊技を行った際に払い出される付与価値（例えば賞球）を受容するための付与価値受容部となる供給皿とが設けられた下枠とから構成されている。この下枠を開けると、パチンコ球を遊技領域に打ち出すための発射装置や、入賞を得た場合の賞球を供給皿に払い出すための付与価値通路となる払出し通路が露呈され、作業者による発射装置や払出し通路のメンテナンスを行うことが可能となる。
【０００４】
【発明が解決しようとする課題】
このようなパチンコ機の場合、下枠の供給皿に形成される供給口と、払出し通路に形成される払出口には、それぞれシャッタが設けられている。これらシャッタは下枠が開けられることに連動して供給口及び払出口をそれぞれ遮蔽し、パチンコ球が供給口や払出口からこぼれ落ちないようにしている。そして、下枠が閉じられると供給口や払出口を開口し、供給皿に賞球の払い出しを行えるようになっている。しかしながら、下枠を開けてもこれらシャッタがスライドしない場合には上記開口がシャッタにより被覆されないので、払出し通路や供給皿にパチンコ球が残っている場合には遊技場の床にこぼれ落ち、他の遊技者に対して迷惑となる。
【０００５】
また、例えば発射装置や払出し通路等のメンテナンスを行っているときに、不意に下枠が本体枠側に回動する場合があり、メンテナンス作業を行っている作業者にとっては作業のしにくいものとなる。
【０００６】
本発明は、発射装置や払出し通路等のメンテナンスを行う際に払出し通路にある賞球を床にこぼれ落ちることを防止できるようにしたパチンコ機を提供することを目的とする。
【０００７】
【課題を解決するための手段】
上記目的を達成するために、本発明のパチンコ機は、遊技に使用する付与価値を受容するための付与価値受容部を備えた前面枠と、前記付与価値を前記付与価値受容部に向けて払い出し可能な付与価値通路が設けられた本体枠とを有し、前記本体枠の前面に保持される第１位置と、前記付与価値通路を露呈する第２位置との間で回動自在となるように、前記前面枠が本体枠に取り付けられたものであり、前記前面枠を第１位置から第２位置に回動させる際に、第１位置と第２位置との間の所定位置で停止させるための一時停止機構を設けたものである。なお、付与価値としては例えばパチンコ球（賞球を含む）が、付与価値受容部としては例えばパチンコ球を発射装置に供給するための供給皿が、また、付与価値通路として例えば払出し通路がそれぞれ挙げられる。
【０００８】
なお、前記前面枠は、本体枠に形成された遊技盤の遊技領域のみを視認できるように形成された遊技領域視認枠と別個に本体枠に取り付けられることが好ましい。なお、前記所定位置とは、前記前面枠と本体枠とで形成される隙間が前記付与価値の大きさよりも小さい隙間となる位置であることが好ましい。
【０００９】
また、前記一時停止機構を、側壁面に平面が形成された回転軸と、この回転軸の側壁面に押圧され回転軸を所定方向に回転させるとともに、前記平面に面接触し前記回転軸の回転を前記所定位置で停止させる軸押さえ部材が形成された軸受け部とから構成し、前記回転軸を前記前面枠又は本体枠のいずれか一方に、前記軸受け部を他方に設けたことが好ましい。
【００１０】
【発明の実施の形態】
図１及び図２に示すように、パチンコ機２は、遊技盤１０が配設された本体枠３と、この本体枠３に回動自在に取り付けられる前面枠５とから構成される。前面枠５は上枠６と下枠７とから構成されている。上枠６の中央には開口６ａが形成されており、この開口６ａは上枠６の裏側に取り付けられたガラス枠８により遮蔽されている。なお、上枠６を閉じると、ガラス枠８により遮蔽された開口６ａから本体枠３に配設された遊技盤１０の遊技領域１０ａを視認することができるようになっている。
【００１１】
下枠７には、遊技を行う際に使用されるパチンコ球を供給するための供給皿９と、パチンコ球の打ち出し強さを調節する操作ハンドル１１とが設けられている。この供給皿９には入賞により払い出される賞球が供給口９ａを介して受容される。これにより、供給皿９は付与価値受容部として機能する。供給口９ａの裏側には第１シャッタ１２が設けられており、例えば下枠７を開けた場合に供給口９ａを遮蔽し、下枠７を閉じた場合に供給口９ａを開口するようになっている。
【００１２】
本体枠３に配設される遊技盤１０上にはガイドレール１３に囲まれた遊技領域１０ａが形成され、図柄表示装置１５、始動入賞口１６、通常入賞口１７、アタッカ１８、アウト口１９が配設されている。また、遊技領域１０ａには、図示を省略した釘、風車などが設けられている。これらの構造物は公知であるので説明は省略する。前面枠５の上枠６を開放することで、遊技場の作業者がこれらの構造物の調整などを行うことができるようになる。なお、この遊技盤１０は、本体枠３の上方に組み込まれる。
【００１３】
遊技盤１０が配設される本体枠３の下部には、パチンコ球を遊技領域１０ａに打ち出すための発射装置２０と、通常入賞口１７やアタッカ１８に入賞したことにより得られる賞球を供給皿９に払い出すための払出口２１ａが形成された払出し通路２１とが設けられている。払出し通路２１は遊技盤１０の下部では通路幅が広くなっており、遊技盤１０の下部では一時貯留タンクの機能を有している。
【００１４】
払出し通路２１に形成された払出口２１ａには第２シャッタ２２が設けられており、下枠７を全開にした場合には第２シャッタ２２により払出口２１ａを遮蔽し、下枠７を閉じると払出口２１ａを開口するようになっている。なお、下枠７が本体枠３の前面に保持されている場合には、本体枠３に設けられたロック解除ボタン２３を操作することで、下枠７を本体枠３の前面に保持させるための保持機構が解除され、下枠７の回動が許容される。なお、下枠７を本体枠３の前面に保持するための保持機構は、パチンコ機の構成、内部機構の配置等を考慮した保持機構を有するものとする。
【００１５】
図３に示すように、下枠７の上面には軸受け用の挿通穴２５が設けられ、この挿通穴２５には本体枠３に設けられた軸２８が挿通される。また、下枠７の下面には挿通穴２５と同軸となるように回転軸２６が形成されている。この回転軸２６の断面形状は八角形状から形成されており、軸受け部となる開口２９に挿通される。なお、回転軸２６の断面形状は八角形状に限定する必要はなく、例えばＤ字形状等、適宜形状を決定してよい。
【００１６】
図４及び図５に示すように、本体枠３に形成される軸受け用の開口２９の内側には、コの字状に形成された押さえバネ３０が、その三方を本体枠３に形成されたリブ３１，３２，３３により固定されている。この押さえバネ３０は回転軸２６を挟持し、且つ回転軸２６を付勢している。例えば、下枠７が本体枠３の前面に保持されている状態でロック機構の解除が行われると、押さえバネ３０の付勢により回転軸２６が時計方向に回転する。押さえバネ３０と回転軸２６の外周面とが面接触する位置まで回転すると、押さえバネ３０の付勢がなくなり回転軸２６の回転が停止される。これにより、回転軸２６及び押さえバネ３０は一時停止機構として機能する。なお、図６に示すように、本体枠３とのロックが解除された下枠７の回動が停止した位置の、下枠７と本体枠３との間に形成される隙間ｄは、パチンコ球３５の直径Ｄよりも狭い隙間となる。
【００１７】
次に、このようにして構成されたパチンコ機の作用について説明する。パチンコ店等の遊技場に設置されたパチンコ機２のメンテナンスを行う際には、まず前面枠５の上枠６を開け、その後ロック解除ボタン２３を操作する。このとき、図４に示すように、下枠７の回転軸２６には押さえバネ３０が点接触し回転軸２６を押圧しており、ロック解除ボタン２３の操作により下枠７と本体枠３とのロックが解除されると、押さえバネ３０の付勢を受けて回転軸２６が時計回りに回転する。回転軸２６が回転している間、押さえバネ３０は回転軸２６と点接触しながら摺接する。
【００１８】
図５に示すように、回転軸２６が回転し、押さえバネ３０と回転軸２６とが面接触した段階で押さえバネ３０による回転軸２６への付勢力がなくなり、回転軸２６の回転が停止する。これにより、下枠７が所定角度回動するが、図６に示すように、下枠７と本体枠３との間に形成される隙間ｄは、パチンコ球３５の直径Ｄよりも狭い隙間となる。この動作の間に第１シャッタ１２が供給口９ａを、第２シャッタ２２が払出口２１ａをそれぞれ遮蔽する。なお、これらシャッタが作動しない場合で、且つ供給皿９或いは払出し通路２１にパチンコ球がある場合には、供給口９ａ或いは払出口２１ａから賞球となるパチンコ球がこぼれるが、本体枠３と下枠７との隙間ｄはパチンコ球３５の直径Ｄよりも狭いので、パチンコ機２の内部下方に流下したパチンコ球３５がパチンコ機２の内部から外部へとこぼれ落ちることはない。なお、パチンコ球３５が払出口２１ａからこぼれている場合には、下枠７の下方に回収用の受け皿を置くことで下枠７を開けた際にパチンコ球を回収することが可能となる。
【００１９】
そして、パチンコ球を受け皿に回収した後に、発射装置２０又は払出し通路２１等のメンテナンスを行う。なお、回転軸２６と押さえバネ３０とが面接触する位置で下枠７は停止しているので、下枠７を不必要に開く必要はなくなるとともに、下枠７を開けた状態で不意に下枠７が回転し閉じることがなくなるので、メンテナンス時の作業を円滑に行うことができる。
【００２０】
【発明の効果】
以上のように、本発明の遊技機によれば、遊技の結果により払い出される付与価値を受容するための付与価値受容部を備えた前面枠と、遊技の結果により得られた付与価値を前記付与価値受容部に向けて払い出し可能な付与価値通路が設けられた本体枠とを有し、前記本体枠の前面に保持される第１位置と、前記付与価値通路を露呈する第２位置との間で回動自在となるように、前記前面枠が本体枠に取り付けられた遊技機において、前記前面枠を第１位置から第２位置に回動させる際に、第１位置と第２位置との間の所定位置で停止させるための一時停止機構を設けたから、遊技機内部のメンテナンスを行う際に不意に前面枠が閉じることがなく、安全にメンテナンスを行うことができる。
【００２１】
また、前記所定位置が、前記前面枠と本体枠とで形成される隙間が前記付与価値の大きさよりも小さい隙間となる位置となる場合には、付与価値通路に残留した付与価値を遊技場にまき散らすことがなくなり、例えば遊技場が開店している場合には、他の遊技者に迷惑を掛けなくて済む。
【図面の簡単な説明】
【図１】本発明を実施したパチンコ機の斜視図である。
【図２】図１に示したパチンコ機の前面枠を開放した状態の斜視図である。
【図３】下枠を本体枠に取り付ける状態を示す斜視図である。
【図４】下枠が本体枠の前面に保持されている場合の軸受け部の状態を示す断面図である。
【図５】ロック解除ボタンを解除した場合の軸受け部の状態を示す斜視図である。
【図６】ロック解除ボタンを解除した場合の本体枠と下枠との位置関係を示す説明図である。
【符号の説明】
２　パチンコ機
３　本体枠
５　前面枠
６　上枠
７　下枠
９　供給皿
９ａ　供給口
２１　払出し通路
２１ａ　払出口
２６　回転軸
３０　押さえバネ
【図１】
2004033389.tif 000003
【図２】
2004033389.tif 000004
【図３】
2004033389.tif 000005
【図４】
2004033389.tif 000006
【図５】
2004033389.tif 000007
【図６】
2004033389.tif 000008